(57)【要約】【課題】外部画像の外側の領域をまとめて図形、文字等を記録しやすくする【解決手段】外部機器から画像信号を入力する画像信号入力ステップと、表示信号に基づいて画像を画面に表示する表示ステップと、前記画面に対する操作を検出する操作検出ステップと、前記画像信号に基づく外部画像と前記画面に対する操作に対応する操作入力オブジェクトとを合成した前記画像を表示するための前記表示信号を出力する描画ステップと、予め決められた操作を移動指示として検出する移動指示検出ステップと、前記移動指示が検出されると、前記画面の辺に接近する方向に移動させた前記外部画像を表示するための前記表示信号を出力する移動ステップと、を含む双方向表示方法。【選択図】図１
2015197587.tif 000002
【特許請求の範囲】
【請求項１】
外部機器から画像信号を入力する画像信号入力ステップと、
表示信号に基づいて画像を画面に表示する表示ステップと、
前記画面に対する操作を検出する操作検出ステップと、
前記画像信号に基づく外部画像と前記画面に対する操作に対応する操作入力オブジェクトとを合成した前記画像を表示するための前記表示信号を出力する描画ステップと、
予め決められた操作を移動指示として検出する移動指示検出ステップと、
前記移動指示が検出されると、前記画面の辺に接近する方向に移動させた前記外部画像を表示するための前記表示信号を出力する移動ステップと、
を含む双方向表示方法。
【請求項２】
前記移動指示検出ステップにおいて、前記画面の予め決められた領域に対する操作を前記移動指示として検出する、
請求項１に記載の双方向表示方法。
【請求項３】
前記移動指示が検出されると、前記移動ステップにおいて、複数の前記外部画像のそれぞれを異なる方向に移動させる、
請求項１または２に記載の双方向表示方法。
【請求項４】
前記移動指示が検出されると、前記移動ステップにおいて、複数の前記外部画像のそれぞれを異なる距離を移動させる、
請求項１から３のいずれか一項に記載の双方向表示方法。
【請求項５】
前記移動指示が検出されると、前記移動ステップにおいて、互いに接するように複数の前記外部画像を移動させる、
請求項１から４のいずれか一項に記載の双方向表示方法。
【請求項６】
外部機器から画像信号を入力する画像信号入力部と、
表示信号に基づいて画像を画面に表示する表示部と、
前記画面に対する操作を検出する操作検出部と、
予め決められた操作を移動指示として検出する移動指示検出部と、
前記画像信号に基づく外部画像と前記画面に対する操作に対応する操作入力オブジェクトとを合成した前記画像を表示するための前記表示信号を出力し、前記移動指示が検出されると、前記画面の辺に接近する方向に移動させた前記外部画像を表示するための前記表示信号を出力する描画部と、
を含む双方向表示装置。
【発明の詳細な説明】
【技術分野】
【０００１】
本発明は双方向表示方法および双方向表示装置に関する。
【背景技術】
【０００２】
近年、タッチパネルディスプレイを設けることにより、画面に対する操作を受け付けるデバイスが利用されるようになってきた。また、プロジェクターのような投写型の表示装置においても、赤外線ライトカーテン等を用いて画面に対する操作を受け付ける機能が実現されている。
【先行技術文献】
【特許文献】
【０００３】
【特許文献１】特開平１０−３１９４８８号公報
【特許文献２】特開２００５−１０９９７８号公報
【特許文献３】特開２０１３−９７３５４号公報
【特許文献４】特開２００７-７８８０８号公報
【発明の概要】
【発明が解決しようとする課題】
【０００４】
ところで、外部機器から入力される画像信号に基づく外部画像が表す文字や図表が見にくくならないように、外部画像の外側の領域を操作することによって、会議中のメモ等を外部画像の外側に記録する場合、外部画像の外側の領域が分散していると、記録できる領域を有効に利用することが困難になるという問題がある。
【０００５】
本発明は、このような問題を解決するために創作されたものであって、外部画像の外側の領域をまとめて図形、文字等を記録しやすくすることを目的の１つとする。
【課題を解決するための手段】
【０００６】
（１）上記目的を達成するための双方向表示方法は、外部機器から画像信号を入力する画像信号入力部と、表示信号に基づいて画像を画面に表示する表示部と、前記画面に対する操作を検出する操作検出部と、予め決められた操作を移動指示として検出する移動指示検出部と、前記画像信号に基づく外部画像と前記画面に対する操作に対応する操作入力オブジェクトとを合成した前記画像を表示するための前記表示信号を出力し、前記移動指示が検出されると、前記画面の辺に接近する方向に移動させた前記外部画像を表示するための前記表示信号を出力する描画部と、を含む。
【０００７】
本発明によると、外部画像を画面の中央から端の方に移動させて、画面内で外部画像の外側の領域を寄せ集めることができる。したがって、外部画像の外側の領域にメモ等を記録しやすくなる。
【０００８】
（２）上記目的を達成するための双方向表示方法において、前記移動指示検出ステップにおいて、前記画面の予め決められた領域に対する操作を前記移動指示として検出してもよい。
この構成を採用することにより、ユーザーは画面から離れずに外部画像を画面の中央から端の方に移動させることができる。
【０００９】
（３）上記目的を達成するための双方向表示方法において、前記移動指示が検出されると、前記移動ステップにおいて、複数の前記外部画像のそれぞれを異なる方向に移動させてもよいし、（４）複数の前記外部画像のそれぞれを異なる距離を移動させてもよいし、（５）互いに接するように複数の前記外部画像を移動させてもよい。
例えば２つの外部画像を互いに逆方向に移動させることにより、画面の中央部において外部画像の外側の領域を拡張したり、２つの外部画像の一方の頂点を画面の頂点に移動させ、２つの外部画像が互いに辺を共有するように他方の外部画像を移動させて、画面の周縁部において外部画像の外側の領域を拡張したりすることができる。
【００１０】
尚、本発明は、双方向表示装置に適用することも可能である。また請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。
【図面の簡単な説明】
【００１１】
【図１】本発明の実施形態にかかる画面構成図。
【図２】本発明の実施形態にかかるブロック図。
【図３】本発明の実施形態にかかるフローチャート。
【図４】本発明の実施形態にかかる画面構成図。
【図５】本発明の実施形態にかかる画面構成図。
【図６】本発明の実施形態にかかるフローチャート。
【図７】本発明の実施形態にかかる画面構成図。
【図８】本発明の実施形態にかかる画面構成図。
【図９】本発明の実施形態にかかる画面構成図。
【図１０】本発明の実施形態にかかる画面構成図。
【発明を実施するための形態】
【００１２】
以下、本発明の実施の形態を添付図面を参照しながら説明する。尚、各図において対応する構成要素には同一の符号が付され、重複する説明は省略される。
【００１３】
１．概要
本発明の双方向表示装置の一実施例としてのプロジェクター１は、壁、机、専用スクリーン等の投写面に画像を投写して表示する装置である。プロジェクター１は、ＰＣ、スマートフォン等の外部機器から入力される画像信号に基づく外部画像を画面に投写する第一モードと、画面に対する操作に対応する操作入力オブジェクトと外部画像とを画面に投写する第二モードとで動作する。図１Ａに示すように、第一モードでは、外部画像Ａ２２が画面Ａ２に投写され、画面Ａ２の中央に外部画像Ａ２２が配置される。ここで画面とは、表示装置が画像を矩形に投写できる有効領域である。例えばプロジェクターの投写光源から投写面までの距離は投写面上の位置によって異なるため、プロジェクター内で矩形の画像を描画しても、投写面に結ばれる画像はその相似形にならない。このために投写面上で矩形になるように調整されたり、投写空間の明るさや色温度に応じて変換される画像の全体が描画される領域が画面である。
図１Ｂに示すように、第二モードでは、外部画像Ａ２２が画面Ａ２の端に配置され、曲線等を含む操作入力オブジェクトＡ２１ｇが外部画像Ａ２２とともに投写される。プロジェクター１は、第二モードでは、画面に対する操作を検出すると、操作軌跡に対応する曲線等の操作入力オブジェクトＡ２１ｇを描画して投写する。
【００１４】
２．プロジェクターの構成
図２に示すように、プロジェクター１は、第一筐体１ａに、光源駆動部１６、投写光源１７、液晶ライトバルブ１０、液晶駆動部１１を表示部として備えるほか、画像信号入力部１４、制御部１５、外部記憶１５１、操作部１８、電源部１９等を備えている。またプロジェクター１は、第一筐体１ａと接続された第二筐体１ｂに、操作検出部として受信部２１と位置検出部２２とを備えている。さらにプロジェクター１は、送信部として電子ペン２３を備えている。
【００１５】
投写光源１７は、高圧水銀灯、ＬＥＤ（Light emitting diode）、レーザー等によって構成され、光源駆動部１６によって駆動される。画像信号入力部１４は、ＵＳＢ端子、イーサネット（登録商標）端子、ＲＳ２３２ｃ端子等の複数種類の入力端子を備え、外部機器から各種の画像信号が入力される。制御部１５は、外部記憶１５１に格納されている制御プログラムを実行することにより、プロジェクター１の各部を制御する。また描画部として機能する制御部１５は、画像信号処理部１３とＯＳＤ処理部１２とを備え、外部機器から入力される画像信号と位置検出部２２から入力される操作位置信号とに基づいて描画処理を実行し、表示信号としての投写信号を出力する。画像信号処理部１３は、外部機器から入力された画像信号と位置検出部２２から入力される操作位置信号とに基づく描画処理の結果として画面全体に対応する画像データ（ウインドウ画像データ）を出力する。ＯＳＤ処理部１２は、ウインドウ画像データに基づいて液晶ライトバルブ１０に対応する投写信号を出力する。液晶駆動部１１は、ＯＳＤ処理部１２から出力される投写信号を、液晶ライトバルブ１０の各画素を駆動するためのアナログ信号に変換する。液晶ライトバルブ１０は、投写光源１７から放射され図示しないダイクロイックミラーによって分離された赤、緑、青の波長の光の透過率をそれぞれが画素毎に制御する３つの液晶パネル１０ａ、１０ｂ、１０ｃを備える。操作部１８は、ＯＳＤメニューを投写する指示を入力するためのメニューキー１８１や、ＯＳＤメニューの項目を選択するための選択キー１８２や決定キー１８３や、外部電源から電源部１９への電力供給をオンおよびオフするための電源スイッチ１８４を備える。電源部１９は、プロジェクター１の各部に電力を供給する。
【００１６】
受信部２１は、投写領域Ａ１全体を撮像する赤外線ビデオカメラであって、赤外線波長の光を受光し、投写領域Ａ１内で電子ペン２３の先端が投写面に接触している期間中、電子ペン２３から照射される赤外線波長の光に対応する画像データを出力する。位置検出部２２は、受信部２１から出力される画像データを解析することにより、赤外線波長の光の発光位置、すなわち電子ペン２３の位置を検出し、電子ペン２３の位置を示す操作位置信号を出力する。操作位置信号は、制御部１５によって、投写領域Ａ１または画面Ａ２の座標に変換される。
【００１７】
電子ペン２３は、ペン型の筐体に、接触センサー２３１と発光部２３２と電源スイッチ２３３とを備える。接触センサー２３１は電子ペン２３の先端に設けられ、対象物との接触状態と非接触状態とを検出する。発光部２３２は、電子ペン２３の先端近くに設けられ、接触センサー２３１が対象物との接触状態を検出している期間中、操作信号として赤外線波長の光を照射する。電源スイッチ２３３は、図示しない電池から接触センサー２３１および発光部２３２への電力供給を制御するためのスイッチである。
【００１８】
３．双方向投写方法
３−１．描画領域の設定
まず投写領域内において画面と、画面内において外部画像が描画される領域との設定について図３を参照しながら説明する。
制御部１５は、画像信号入力部１４に新たな外部機器から画像信号が入力されると図３に示す領域設定処理を開始する（Ｓ１）。具体的には、任意の入力端子への画像信号の入力が開始されたことを画像信号入力部１４が検出すると、制御部１５はステップＳ２以後の領域設定処理を開始する。したがって、画像信号を入力する外部機器が切り替わった場合には、描画領域が再設定されることになる。
【００１９】
画像信号入力部１４に新たな外部機器から画像信号が入力されると、制御部１５は、画面内に外部画像をどのように配置するかという画面構成を設定する（Ｓ２）。本実施例では、画面構成として、１つの外部画像を画面の中央に配置する一画面表示、画面を水平方向において２つに等分割し、それぞれの領域に１つの外部画像を配置する二画面等分割表示のいずれかを設定できるものとする。具体的には、制御部１５は、設定可能な画面構成の選択肢を含むＯＳＤメニューを投写するための投写信号を出力し、操作部１８を用いてユーザーが選択する画面構成を設定する。
【００２０】
次に制御部１５は、画像信号入力部１４に入力される画像信号の画面解像度等のフォーマットを判定する（Ｓ３）。
【００２１】
次に制御部１５は、画面構成と画像信号入力部１４に入力される画像信号の解像度と液晶ライトバルブ１０の有効領域の解像度（リアル解像度）と台形歪み補正値とに基づいて外部画像の描画領域を設定する（Ｓ４）。具体的には、液晶ライトバルブ１０の有効領域の解像度と台形歪み補正値とによって、プロジェクター１が投写可能な最大領域である投写領域に対する画面の領域が決まる。台形歪み補正が実施される場合、画面Ａ２の領域は、図４Ｃに破線Ａ２ｓで示すようにプロジェクター１が投写可能な最大領域である投写領域Ａ１よりも小さい非矩形になる。なお、台形歪みの補正値は、投写状態を検出した結果に基づいて自動で設定しても良いし、ＯＳＤメニューを用いてユーザーに設定させても良い。さらに画面構成によって１つの外部画像を描画できる画面内の最大領域が決まる。さらに、その最大領域のアスペクトと外部画像のアスペクトとに応じて画面内で外部画像の描画領域が決まる。このようにして投写領域Ａ１に対する画面Ａ２の領域を設定し、画面Ａ２に対する外部画像Ａ２２の描画領域Ａ２２ｓを設定することにより、液晶ライトバルブ１０の有効領域に対応する投写領域Ａ１に対する外部画像Ａ１１の描画領域が設定されることになる。詳細については後述する。
【００２２】
３−２．第一モードの描画処理
制御部１５は、外部機器から入力される画像信号に基づいて、設定した描画領域と解像度が一致するように外部画像を拡大または縮小して設定した描画領域に描画する。
第一モードでは、制御部１５は、投写領域Ａ１内の画面の領域外も、画面Ａ２内の外部画像の背面領域も黒色で描画する。制御部１５は、第一モードでは、このように投写領域Ａ１を描画することにより、液晶ライトバルブ１０を構成する画素に対応する投写信号を出力する。その結果、第一モードでは、図１Ａに示すように、投写領域Ａ１の外部画像Ａ２２以外の部分は黒く投写される。なお、破線Ａ２は、画面Ａ２の領域を示すための仮想的な線であって、実際に投写される線ではない。
【００２３】
３−３．一画面表示
一画面表示の画面構成が設定され、画面とアスペクトが一致する画像を表す画像信号が入力される場合、制御部１５は、画面そのものを外部画像の描画領域として設定する。
【００２４】
一画面表示の画面構成が設定され、図４Ａに示すように画面とアスペクトが異なる画像を表す画像信号が入力される場合、制御部１５は、図４Ｂに示すように、外部画像Ａ２２の描画領域Ａ２２ｓと画面の２辺が重なり、画面から外部画像Ａ２２がはみ出さず、外部画像Ａ２２の描画領域Ａ２２ｓと画面の重心が一致するように、外部画像Ａ２２の描画領域Ａ２２ｓを設定する。
【００２５】
３−４．二画面等分割表示
二画面等分割表示の画面構成が設定される場合、制御部１５は、図５Ａの一点鎖線で示すように画面を左右に二等分する。そして制御部１５は、左右いずれか一方の領域を、第一の外部機器から入力された画像信号に基づく第一の外部画像を描画する最大領域として割り当て、左右いずれか他方の領域を、第二の外部機器から入力された画像信号に基づく第二の外部画像を描画する最大領域として割り当てる。
【００２６】
画像が縦長になる画像信号が入力される場合、制御部１５は、図５Ｂに破線で示す領域（テンプレート領域）を定めたテンプレートＡ２２ｓを用いて外部画像の描画領域を設定する。テンプレートＡ２２ｓは、外部画像を描画する左右いずれか一方の最大領域に対して、その中央に配置される縦長の領域を、外部画像を収めるべき描画領域として定める。テンプレートＡ２２ｓと外部画像のアスペクトが同じ場合、外部画像の画面Ａ２に対する描画領域はテンプレートＡ２２ｓの領域そのものとなる。図５Ｂに示すようにテンプレートＡ２２ｓと外部画像Ａ２２のアスペクトが異なる場合、テンプレートＡ２２ｓに収まり、外部画像Ａ２２とアスペクトが一致し、向かい合う二辺がテンプレートＡ２２ｓの向かい合う二辺と重なる領域が外部画像Ａ２２の描画領域として設定される。
【００２７】
画像が横長になる画像信号が入力される場合、制御部１５は、図５Ｃに示すように、外部画像を描画する最大領域の向かい合う２辺に対して外部画像Ａ２２の２辺が重なり、外部画像を描画する最大領域から外部画像Ａ２２がはみ出さず、外部画像を描画する最大領域の重心と外部画像Ａ２２の重心が一致するように、外部画像Ａ２２の描画領域を設定する。
【００２８】
４．移動指示
図６に示すように、プロジェクター１は、移動指示に応じて外部画像の描画領域を変更する。
まず制御部１５は移動指示を検出したか否かを判定する（Ｓ１０）。具体的には、制御部１５は、画像信号入力部１４のＵＳＢ端子への外部機器の接続操作、ＯＳＤメニューの操作、電子ペン２３の操作、投写面の予め決められた領域に対する操作等を移動指示として検出する。例えば、操作部１８のメニューキー１８１等が操作されると、制御部１５は図７に示すようにモードを選択するためのＯＳＤメニューＡ２３を画面Ａ２の最前面に描画したウインドウ画像データを生成し、項目の選択を待機する。ＯＳＤメニューＡ２３には、第一モードを意味する「標準モード」と第二モードを意味する「インタラクティブモード」が選択項目として配置される。第一モードにおいて操作部１８の選択キー１８２と決定キー１８３を用いて「インタラクティブモード」が選択された場合に、第一モードから第二モードに遷移するとともに、その選択操作を移動指示として検出すればよい。すなわち、第一モードから第二モードに遷移させる指示そのものを移動指示としても検出しても良い。この場合は、操作部１８は移動指示検出部として機能する。これにより、操作に対応する操作入力画像を投写できる第二モードに遷移すると、自動的に外部画像の外側にメモ等を記録しやすくなるように外部画像が移動することになる。その結果、外部画像を移動させるためにユーザーに要求する操作を減らすことができる。
【００２９】
また制御部１５は第二モードにおいてペンホルダー２３４から電子ペン２３を取り外す操作を移動指示として検出してもよい。この場合、ペンホルダー２３４から電子ペン２３が取り外されると、ペンホルダー２３４はこれを検出し、制御部１５に通知する。すなわちペンホルダー２３４は移動指示検出部として機能する。また、ペンホルダー２３４から電子ペン２３が取り外された後にユーザーがペンホルダー２３４に戻さずに電源スイッチ２３３をオフ操作し、その後再びオン操作した場合に、そのオン操作を移動指示として検出してもよい。この場合、電源スイッチ２３３のオン操作とオフ操作とを電子ペン２３から制御部１５に通知する手段が必要になるが、例えば電子ペン２３の発光部２３２をその手段として用いることができる。この場合、電子ペン２３と受信部２１が移動指示検出部として機能する。
【００３０】
また制御部１５は第二モードにおいて投写面の予め決められた領域に対する操作を移動指示としてもよい。この場合、電子ペン２３と受信部２１が移動指示検出部として機能する。なお、第一モードでも投写面の予め決められた領域に対する操作を移動指示として検出するためには、第一モードでも電子ペン２３、受信部２１および位置検出部２２を作動させておく必要がある。また、投写面の限定された狭い領域に対する操作を移動指示として検出する場合には、その領域をユーザーが認識できるように、制御部１５は、その領域にアイコンを描画することが好ましい。
【００３１】
移動指示を検出したと判定すると、制御部１５は外部画像の描画領域の設定を変更する（Ｓ１１）。具体的には、移動指示が検出されると、制御部１５は外部画像が図８及び図９に示すように画面Ａ２の辺に接近する方向に外部画像Ａ２２の描画領域を移動させる。第二モードにおいて移動指示が検出されると、例えば投写領域Ａ１は図１０Ａから図１０Ｂに示すように変化する。
【００３２】
一画面表示の画面構成が設定されている場合、図８Ａおよび図８Ｂに示すように画面Ａ２の辺に接していない外部画像Ａ２２の２辺のうちの１辺が画面Ａ２の辺に接するように外部画像Ａ２２の描画領域を変更する。その結果、外部画像Ａ２２の３辺が画面Ａ２の辺に重なり、外部画像Ａ２２の外側の領域が２つから１つに集約され、１つに集約された外部画像Ａ２２の外側の領域が広くなる。
【００３３】
また例えば二画面等分割表示の画面構成が設定されている場合、図８Ｃに示すように２つの外部画像Ａ２２ａ、Ａ２２ｂがともに垂直方向上向きに移動して外部画像Ａ２２ａ、Ａ２２ｂの各１つの頂点が画面Ａ２の隣り合う頂点に一致するように外部画像Ａ２２ａ、Ａ２２ｂの描画領域を変更する。また図８Ｄに示すように２つの外部画像Ａ２２ａ、Ａ２２ｂが互いに水平方向逆向きに移動して画面Ａ２の向かい合う２辺に外部画像Ａ２２ａ、Ａ２２ｂが接するように外部画像Ａ２２ａ、Ａ２２ｂの描画領域を変更する。また図９Ａに示すように２つの外部画像Ａ２２ａ、Ａ２２ｂの各１つの頂点が画面Ａ２の向かい合う頂点に一致するように外部画像Ａ２２ａ、Ａ２２ｂの描画領域を変更する。図８Ｄおよび図９Ａに示すように描画領域を変更すると画面Ａ２の中央部において外部画像Ａ２２ａ、Ａ２２ｂの外側領域が広くなる。
【００３４】
なお、二画面等分割表示の画面構成が設定されて２つの外部画像Ａ２２ａ、Ａ２２ｂが離れて配置されている場合、図９Ｂに示すように、２つの外部画像Ａ２２ａ、Ａ２２ｂのうち一方が画面Ａ２の２辺に接近する方向に移動し、他方が一方と辺を共有するように移動させても良い。
【００３５】
また、二画面等分割表示の画面構成が設定されている場合、画面Ａ２の辺に接するように外部画像の描画領域を移動させると、多くの場合、２つの外部画像は異なる距離を移動することになる。
【００３６】
５．第二モードの描画処理
第二モードにおいて、制御部１５は、図１Ｂに示すように投写領域Ａ１内の画面Ａ２の領域外を黒色で描画し、画面Ａ２内の外部画像Ａ２２の背面領域を白色で描画する。したがって第一モードから第二モードに遷移すると、画面Ａ２内において外部画像Ａ２２の背面領域の色が黒から白に変化する。
【００３７】
第二モードでは、画面に対する操作に対応する操作入力オブジェクトＡ２１ｇが外部画像Ａ２２とともに画面Ａ２の白い背面領域の前面に配置される。操作入力オブジェクトＡ２１ｇはプロジェクター１の制御部１５が独自に生成する画像である。このため、画面に対する操作に対応する操作入力オブジェクトＡ２１ｇの応答が速い。なお、操作入力オブジェクトＡ２１ｇが描画される操作入力画像Ａ２１の解像度は画面Ａ２の解像度と同じである。操作入力画像Ａ２１には、各種のアイコンＡ２１ａ，Ａ２１ｂ，Ａ２１ｃ，Ａ２１ｄ，Ａ２１ｅ、Ａ２１ｆ、Ａ２１ｐと、電子ペン２３を用いた操作に対応するオブジェクトＡ２１ｇが制御部１５によって描画される。
【００３８】
アイコンＡ２１ａ，Ａ２１ｂ，Ａ２１ｃ，Ａ２１ｄ，Ａ２１ｅは、投写面に対する電子ペン２３を用いた操作をどのような図形として操作入力オブジェクトＡ２１ｇに反映させるかをユーザーに選択させるための領域を示している。すなわち制御部１５は、アイコンＡ２１ａ，Ａ２１ｂ，Ａ２１ｃ，Ａ２１ｄ，Ａ２１ｅが描画された領域を示す操作位置信号が位置検出部２２から入力されると、それぞれの領域に対応する描画処理を準備する。例えば、アイコンＡ２１ａが投写される領域に電子ペン２３の先端が接触すると、制御部１５は、その後の投写面に対する電子ペン２３の先端の接触軌跡を曲線のオブジェクトＡ２１ｇとして画面Ａ２の最前面に描画する。アイコンＡ２１ｂが投写される領域に電子ペン２３の先端が接触すると、制御部１５は、操作入力画像Ａ２１に描画する線の太さを変更する。アイコンＡ２１ｃが投写される領域に電子ペン２３の先端が接触すると、制御部１５は、その後の投写面に対する電子ペン２３の先端の接触軌跡の始点と終点を対角線の両端とする矩形のオブジェクトを画面Ａ２の最前面に描画する。アイコンＡ２１ｄが投写される領域に電子ペン２３の先端が接触すると、制御部１５は、その後の投写面に対する電子ペン２３の先端の接触軌跡の始点と終点を対角線とする矩形に内接する楕円のオブジェクトを画面Ａ２の最前面に描画する。アイコンＡ２１ｅが投写される領域に電子ペン２３の先端が接触すると、制御部１５は、その後の投写面に対する電子ペン２３の先端の接触軌跡上において、それ以前の電子ペン２３を用いた画面に対する操作に対応する曲線等のオブジェクトＡ２１ｇを消去する。またこれらのアイコンＡ２１ａ，Ａ２１ｂ，Ａ２１ｃ，Ａ２１ｄ，Ａ２１ｅに対応する描画処理が準備または実行されている期間中、制御部１５は、対応するアイコンＡ２１ａ，Ａ２１ｂ，Ａ２１ｃ，Ａ２１ｄ，Ａ２１ｅを強調するための描画をする。そして、第二モードにおいてモード切替アイコンＡ２１ｆが投写される領域に電子ペン２３の先端が接触すると、制御部１５は第一モードに遷移する。
【００３９】
以上説明した実施例によると、ユーザーは外部画像を画面の中央から端の方に移動させて、画面内で外部画像の外側の領域を寄せ集めることができる。したがって、外部画像の外側の領域にメモ等を記録しやすくなる。また第一モードから第二モードへの遷移に伴って外部画像を移動させることにより、ユーザーに要求する操作を減らすことができる。また画面の予め決められた領域に対する操作を移動指示として検出することにより、ユーザーは画面から離れずに外部画像を画面の中央から端の方に移動させることができる。
【００４０】
６．他の実施形態
尚、本発明の技術的範囲は、上述した実施例に限定されるものではなく、本発明の要旨を逸脱しない範囲内において種々変更を加え得ることは勿論である。
【００４１】
例えば、外部画像の描画領域を変更するにあたり、第一モードから第二モードに遷移するタイミングでは変更せずに、第二モードでプロジェクターが作動している期間中に何らかのトリガーを設けて変化させても良い。例えば、ＯＳＤメニューの操作やＵＳＢ端子への外部機器の接続によって第一モードから第二モードに遷移したタイミングでは、外部画像の描画領域を変更せず、第二モードで電子ペンの電源スイッチが操作されたり、第二モードで電子ペンがペンホルダーから取り外されたり、第二モードで画面に対する操作を検出可能な任意の領域に対して最初の操作がなされたり、第二モードでアイコンによって示された所定の領域に対する操作がなされたタイミングにおいて、外部画像の描画領域を変更してもよい。
また、外部画像の描画領域を変更するにあたり、画面の辺に接していない外部画像の辺が画面の辺に接するまで外部画像を移動させても良いし、画面の辺に接していない外部画像の辺が画面の辺に接する手前までに外部画像の移動距離を留めても良い。
【００４２】
また例えば、画面に対する操作を検出する手段として、レーザーカーテンを用いても良いし、赤外線波長以外の波長の光を用いても良い。また、電子ペンのように操作信号を送信する機能を備えた送信部を用いずに、レーザーカーテンから照射されて指で反射する赤外線波長の光を検出して画面に対する操作を検出しても良い。また、操作入力オブジェクトを描画すべき操作を検出する領域は、画面全体でもよいし、画面の一部に限定しても良い。例えば、画面内の外部画像の背景領域のみについて、操作入力オブジェクトを描画すべき操作を検出してもよい。
【００４３】
また例えば、画像を投写するために、１つの液晶パネルを用いて光を変調しても良いし、反射型の液晶パネルを用いて光を変調しても良いし、ＤＭＤ（Digital Mirror Device）を用いて光を変調しても良い。また例えば投写画像を拡大投写するために凸面鏡を用いても良いし、鏡を用いなくても良い。また例えば、タッチパネルディスプレイ等の表示装置に本発明を適用しても良い。
【符号の説明】
【００４４】
１…プロジェクター、１ａ…第一筐体、１ｂ…第二筐体、１０…液晶ライトバルブ、１０ａ…液晶パネル、１０ｂ…液晶パネル、１０ｃ…液晶パネル、１１…液晶駆動部、１２…ＯＳＤ処理部、１３…画像信号処理部、１４…画像信号入力部、１５…制御部、１６…光源駆動部、１７…投写光源、１８…操作部、１９…電源部、２１…受信部、２２…位置検出部、２３…電子ペン、１５１…外部記憶、１８１…メニューキー、１８２…選択キー、１８３…決定キー、１８４…電源スイッチ、２３１…接触センサー、２３２…発光部、２３３…電源スイッチ、２３４…ペンホルダー、Ａ１…投写領域、Ａ２…画面、Ａ２１…操作入力画像、Ａ２１ａ…アイコン、Ａ２１ｂ…アイコン、Ａ２１ｃ…アイコン、Ａ２１ｄ…アイコン、Ａ２１ｅ…アイコン、Ａ２１ｆ…モード切替アイコン、Ａ２１ｇ…曲線、Ａ２１ｐ…アイコン、Ａ２２…外部画像、Ａ２２ａ…外部画像、Ａ２２ｂ…外部画像、Ａ２２ｓ…テンプレート、Ａ２３…メニュー
【図１】
2015197587.tif 000003
【図２】
2015197587.tif 000004
【図３】
2015197587.tif 000005
【図４】
2015197587.tif 000006
【図５】
2015197587.tif 000007
【図６】
2015197587.tif 000008
【図７】
2015197587.tif 000009
【図８】
2015197587.tif 000010
【図９】
2015197587.tif 000011
【図１０】
2015197587.tif 000012